(57)【要約】【課題】所望する場所及び範囲に敷設する作業が簡単且つ容易に行え、作業性の向上及び能率アップを図ることができる木製チップを提供する。【解決手段】杉の間伐材を粉砕してなる木チップ２…の外面を、所望する色に着色した粘着力を有するバインダー３で略均一に被覆して、所望する色に着色した木製チップ１…を複数色製造する。その中から選択した所望する色の木製チップ１…を所望する場所及び範囲に所望量敷設した後、その木製チップ１…の一部又は全体を上から押し固めるように押圧して、木チップ２…外面に被覆したバインダー３を互いに押し付けて粘着固定する。【選択図】  図６
2005297276.tif 000002
【特許請求の範囲】
【請求項１】
樹木を粉砕してなる木チップの外面を、該木チップに付与される押圧力で互いに粘着固定されるような粘着力を有するバインダーで覆った
木製チップ。
【請求項２】
上記バインダーを、所望する色に着色した
請求項１記載の木製チップ。
【請求項３】
上記バインダーの粘着力を、上記木製チップの敷設状態を維持するのに必要な粘着力に設定した
請求項１又は２記載の木製チップ。
【請求項４】
上記バインダーを、上記木製チップを繰り返し粘着固定することが可能な粘着力を有するバインダーで構成した
請求項１，２又は３記載の木製チップ。
【請求項５】
上記木チップを、杉又は桧の間伐材を粉砕してなるチップで構成した
請求項１，２，３又は４記載の木製チップ。
【発明の詳細な説明】
【技術分野】
【０００１】
この発明は、例えば自然歩道、リハビリ道、ウッドチップコース、競技場、運動場、ゴルフ場内及び病院内の歩道、幼稚園、公園等の舗装、ガーデニングやマルチング、鉢植えや花壇の装飾等の所望する用途に用いることができる木製チップに関する。
【背景技術】
【０００２】
従来、上述のマルチング方法としては、例えば不燃物粒を上層側に敷設した後、飛散防止剤をジョウロや噴霧機等の散布手段で不燃物粒上に散布して、不燃物粒を飛散防止剤で接着固定する特許文献１のマルチング構造及びマルチング方法がある。しかし、上述の構造及び方法は、不燃物粒を互いに押し付けて接着固定するものではなく、散布手段で散布される飛散防止剤を、上層側の不燃物粒外面を濡らしつつ降下させ、その不燃物粒外面に付着する飛散防止剤で互いに接着固定するので、不燃物粒の裏面側に飛散防止剤が付着しにくく、所望する範囲に敷設された全不燃物粒に対して飛散防止剤を略均等に付着することが難しく、一部の不燃物粒が飛散するのを防止することができない。且つ、飛散防止剤を散布する作業、飛散防止剤が硬化するのに時間が掛かるため、作業能率が悪い。
【特許文献１】特開２００２-１４２５７６号公報。
【発明の開示】
【発明が解決しようとする課題】
【０００３】
この発明は上記問題に鑑み、樹木を粉砕してなる木チップの外面を、該木チップを互いに粘着固定するのに必要な粘着力を有するバインダーで覆うことにより、所望する場所及び範囲に敷設する作業が簡単且つ容易に行え、作業性の向上及び能率アップを図ることができる木製チップの提供を目的とする。
【課題を解決するための手段】
【０００４】
この発明は、樹木を粉砕してなる木チップの外面を、該木チップを互いに固定するのに必要な粘着力を有するバインダーで覆った木製チップであることを特徴とする。
【０００５】
上述の木製チップは、例えば自然歩道、リハビリ道、ウッドチップコース、競技場、運動場、ゴルフ場内及び病院内の歩道、幼稚園、公園等の舗装、ガーデニング、マルチング、鉢植えや花壇の装飾等の所望する用途に用いることができる。或いは、屋上やバルコニー等の所望する場所及び範囲に敷設することもできる。
【０００６】
且つ、木チップに用いられる樹木は、例えば間伐材（杉や桧等）や廃材、枯死樹木、庭木、剪定材、街路樹、竹等の単一又は複合した樹木で構成することができる。なお、木チップには、二酸化窒素（ＮＯ2 ）を分解・吸収するような成分が含まれているので、木チップの少なくとも一部が露出される状態にバインダーで覆うにより、例えば自動車の排気ガス及び空気に含まれる窒素酸化物の主要素である二酸化窒素（ＮＯ2 ）を分解・吸収する浄化効果が得られる。
【０００７】
また、木チップに付与される押圧力で互いに粘着固定されるような粘着力を有するバインダーは、例えば水性アルキドエマルション、水性アクリルエマルション、水性ウレタンエマルション等の単一又は複合した水性樹脂を、所望する場所及び範囲に敷設した木チップを粘着固定するための粘着剤又は接着剤として用いることができる。或いは、水性樹脂の代わり又は併用して油性樹脂を用いることもできる。
【０００８】
上述の木チップの外面をバインダーで覆う場合、上記樹木を粉砕又は破砕、細断してなる単一又は複合した木チップを、例えば液状やペースト状のバインダーに浸漬するか、そのバインダーを塗布又は吹付ける等して略均一に覆うことができる。且つ、木製チップの押し固め方法は、例えば作業者の手や足、押し固め具等で人為的に押し固める方法と、ベニヤや合板、パーティクルボード、ハードボード等のコンパネを用いて人為的に押し固める方法と、重量や振動を付加する機械等で機械的に押し固める方法とがあり、何れか一つ又は複合した方法で所望する場所及び範囲に敷設した状態に押し固めることができる。
【０００９】
つまり、粘着力を有するバインダーで木チップが個々に覆われた木製チップを、所望する場所及び範囲に略層状に所望量敷設した後、上述の押し固め方法で木製チップの一部又は全体を上から押し固めるように押圧すると、隣り合う木製チップの木チップを覆っているバインダーが互いに押し付けられ、そのバインダーの粘着力でもって各木製チップが互いに粘着固定されるので、所望する場所及び範囲に敷設した状態に固定することができる。且つ、各木製チップを互いに押し付けたとき、木製チップの木チップを覆っているバインダーの粘着面積が大きくなり、所望する場所及び範囲に敷設した状態を維持するのに必要な粘着力が安定して得られる。
【００１０】
実施の形態として、上記バインダーを、所望する色に着色することができる。つまり、例えば白色や黄色、赤色、青色、緑色、茶色、バイオレット、その他の色等の中から選択した単一又は複合した所望する色に設定することができる。
【００１１】
また、上記バインダーの粘着力を、上記木製チップの敷設状態を維持するのに必要な粘着力に設定することができる。つまり、例えば雨や風が吹付けられても、人が歩行する等しても分離及び剥離、飛散せず、作業者の手で強制的に分離及び引き剥がすことが可能な粘着力に設定するのが好ましい。
【００１２】
また、上記バインダーを、上記木製チップを繰り返し粘着固定することが可能な粘着力を有するバインダーで構成することができる。つまり、一部の木製チップが分離又は剥離しても再度粘着固定することができる。
【００１３】
また、上記木チップを、杉又は桧の間伐材を粉砕してなるチップで構成することができる。なお、杉のチップは、表面が白く、バインダー及び色ノリがよいので、桧よりも杉の間伐材からなる木チップを用いるのが好ましい。
【００１４】
なお、上記樹木から抽出した木酢液を、木チップに添加又は含浸するか、バインダーに混入することもでき、例えば防虫、防菌、防草、消臭、腐敗防止等の効果が得られるだけでなく、木チップの欠点である、害虫の温床、雑草の繁茂、発酵による異臭等を軽減する効果が得られる。加えて、木チップを防草シート上に敷設することもでき、防草効果が複合して得られ、除草作業が不要となり、経費削減が図れる。また、上記樹木を粉砕してなる木チップと、樹木を炭化処理してなる炭化物や炭化チップとを所定の割合で混合することもでき、例えば排気ガス、空気、水等に含まれる化学物質や臭いの粒子、その他の微小な粒子等を吸着する浄化効果が得られる。
【発明の効果】
【００１５】
この発明によれば、所望する場所及び範囲に敷設した木製チップの一部又は全体を押圧して、その木製チップの木チップ外面に被覆したバインダーの粘着力で互いに粘着固定するので、従来例のように飛散防止剤を散布するような手間及び作業が省け、その飛散防止剤が硬化するまで待つ必要がなく、所望する場所及び範囲に敷設する作業が簡単且つ容易に行え、作業性の向上及び能率アップが図れる。且つ、場所及び用途、目的に応じて、複数色の中から選択した所望する色の木製チップを所望する場所及び範囲に敷設すれば、例えば殺風景な遊歩道、植栽、植桝等を鮮やかな色彩に配色及び飾り付けることもできる。
【発明を実施するための最良の形態】
【００１６】
この発明の木製チップは、所望する場所及び範囲に敷設する作業が簡単且つ容易に行え、作業性の向上及び能率アップを図ることができるという目的を、樹木を粉砕してなる木チップを、該木チップを互いに固定するのに必要な粘着力を有するバインダーで覆うことで達成できる。
【実施例】
【００１７】
この発明の一実施例を以下図面に基づいて詳述する。  
図面は、樹木を粉砕してなる木チップの外面を、所望する色に着色した粘着力を有するバインダーで覆った木製チップを示し、図１に於いて、この木製チップ１は、例えば杉や桧等の間伐材を粉砕又は破砕、細断してなる木チップ２…を、例えば水性アルキドエマルション、水性アクリルエマルション、水性ウレタンエマルション等の水性樹脂からなる液状やペースト状のバインダー３に浸漬するか、そのバインダー３を塗布又は吹付ける等して、木チップ２…の略外面全体（又は略一部外面）をバインダー３で略均一に被覆している。
【００１８】
且つ、バインダー３の粘着力は、図５にも示すように、木製チップ１…を所望する場所及び範囲に敷設した状態を維持するのに必要な粘着力に設定している。つまり、例えば雨や風が吹付けられるか、人が歩行する等しても分離及び剥離、飛散せず、作業者の手で強制的に分離及び引き剥がすことが可能な粘着力に設定するのが好ましい。また、木製チップ１を繰り返し粘着固定することが可能な粘着力を有するバインダー３を木チップ２…の外面に被覆することもでき、一部の木製チップ１…が分離又は剥離しても再度粘着固定することができる。
【００１９】
且つ、木チップ２に被覆されるバインダー３の色は、例えば白色や黄色、赤色、青色、緑色、バイオレット、その他の色等の中から選択され、木チップ２…の略外面全体を、単一色又は複合色に着色したバインダー３で被覆して、図２の（ａ）、（ｂ）、（ｃ）、（ｄ）、（ｅ）にも示すように、所望する色に着色した着色チップ１ａ，１ｂ，１ｃ，１ｄ，１ｅを予め複数色製造する。なお、上述例以外の色に着色したバインダー３で被覆することもでき、実施例の色のみに限定されるものではない。なお、バインダー３の色の成分は、法規制対象外の成分で組成するか、法規制値以下の濃度で組成するのが好ましい。
【００２０】
図示実施例は上記の如く構成するものにして、以下、所望する色に着色した木製チップ１の敷設方法を説明する。
【００２１】
先ず、図７、図８に示すように、木製チップ１の中から選択した所望する色の着色チップ１ａ〜１ｅを、第１施工場所Ａ、第２施工場所Ｂ等の所望する場所及び範囲に人為的作業又は機械的作業でもって所望量敷設した後、例えば作業者の手や足、押し固め具等で人為的に押し固めるか、ベニヤや合板、パーティクルボード、ハードボード等のコンパネを用いて人為的に押し固めるか、重量や振動を付与する機械、器具等で機械的に押し固める等して、所望する場所及び範囲に敷設した木製チップ１の着色チップ１ａ〜１ｅを上から押し固めるようにして略均等に押圧又は加圧する。
【００２２】
つまり、図５、図６に示すように、木製チップ１の木チップ２を覆っているバインダー３を互いに押し付け、そのバインダー３の粘着力でもって隣り合う木製チップ１…を互いに粘着固定して、所望する色に着色した着色チップ１ａ〜１ｅを、所望する場所及び範囲に敷設した状態に固定する。且つ、隣り合う木製チップ１…を互いに押し付けたとき、木製チップ１の木チップ２を覆っているバインダー３の粘着面積が大きくなり、木製チップ１…を互いに固定するのに必要な粘着力が安定して得られ、所望する場所及び範囲に敷設した状態を長期間維持することができる。
【００２３】
且つ、所望する場所及び範囲に敷設された木製チップ１を上から押し固めたとき、例えば樹木の皮や葉、枝等の小さなチップが木製チップ１…の隙間に押し込まれ、その隙間を形成する木製チップ１…の外面に接触及び絡み付くため、隣り合う木製チップ１…の間が小さなチップに被覆されたバインダー３の粘着力で互いに粘着固定され、木製チップ１…が分離するか、その間隔が拡張したりせず、所望する密度に押し固めた状態を維持することができる。
【００２４】
且つ、木チップ２…には、二酸化窒素（ＮＯ2 ）を分解・吸収するような成分が含まれているので、木チップ２の少なくとも一部が露出される状態にバインダー３で被覆すると、例えば自動車の排気ガス及び空気に含まれる窒素酸化物の主要素である二酸化窒素（ＮＯ2 ）を分解・吸収する浄化効果が得られる。
【００２５】
且つ、木製チップ１の木チップ２の略外面全体をバインダー３で覆っているため、例えば雨水や空気中の水分、土中の水分等が木チップ２に殆ど吸収されず、透水性に優れ、水溜りができにくく、腐敗及び腐食するのを防止することができると共に、木チップ２が変質しにくく、柔軟性及び弾力性が殆ど減衰せず、耐候性及び耐久性が向上する。
【００２６】
且つ、所望する場所及び範囲に敷設した一部の木製チップ１が分離又は剥離しても、その部分に、分離及び剥離した量の木製チップ１を補充して押し固めるか、繰り返し粘着固定することが可能なバインダー３で被覆された木製チップ１を補充して押し固めるだけで、元の敷設状態に修復することができ、木製チップ１…の全体を敷設しなおす必要がなく、補修作業が簡単且つ容易に行える。
【００２７】
以上のように、所望する場所及び範囲に敷設した木製チップ１…の一部又は全体を上から押し固めるように押圧して、木製チップ１…外面に被覆したバインダー３の粘着力で互いに粘着固定するので、従来例のように飛散防止剤を散布するような手間及び作業が省け、その飛散防止剤が硬化するまで待つ必要もなく、所望する場所及び範囲に敷設する作業が簡単且つ容易に行え、作業性の向上及び能率アップが図れる。且つ、木製チップ１…を所望する場所及び範囲に応じて、所望する大きさ及び形状に敷設することができるので、例えば舗装やガーデニング、マルチング等の様々な用途及び目的に用いることができる。
【００２８】
且つ、場所及び用途、目的に応じて、複数色の中から選択した所望する色の着色チップ１ａ〜１ｅを所望する場所及び範囲に敷設すれば、例えば殺風景な遊歩道、植栽、植桝等を鮮やかな色彩に配色及び飾り付けることができ、場所及び季節に応じて所望する色の組み合わせに変更することもできる。
【００２９】
且つ、木製チップ１…を押し固める力が弱いと、隣り合う木製チップ１…が粗状態に粘着固定され、チップ間隔が広くなりクッション性が向上する。一方、木製チップ１…を押し固める力が強いと、隣り合う木製チップ１…が密状態に粘着固定され、チップ間隔が狭くなりクッション性が低下するため、その木製チップ１…を所望する押し固め力で押圧するだけで、適度な弾力性及び柔軟性を持たせた状態に敷設することができ、例えば足に与える負荷を軽減又は強くするか、接地時の衝撃を軽減するか、トレーニング、リハビリ等の用途及び目的に応じた硬さに設定することができる。
【００３０】
且つ、杉の間伐材を粉砕してなる木チップ２…を、所望する色に着色した粘着力を有するバインダー３で予め被覆しておくので、木チップ２…とバインダー３とを現場で混合するか、バインダー３を木チップ２…上に散布する等の作業が不要となり、現場での敷設作業が簡単且つ容易に行える。
【００３１】
この発明の構成と、上述の実施例との対応において、  
この発明の樹木は、実施例の杉又は桧の間伐材に対応するも、  
この発明は、上述の実施例の構成のみに限定されるものではない。
【００３２】
上述の杉又は桧の間伐材の代わりに、例えば廃材や枯死樹木、庭木、剪定材、街路樹、竹等の樹木を粉砕してなるチップを用いることもできる。
【産業上の利用可能性】
【００３３】
この発明の木製チップは、例えば住宅や建物等の建築物の防音材としても利用することができる。
【図面の簡単な説明】
【００３４】
【図１】木チップをバインダーで被覆した木製チップを示す断面図。
【図２】複数色に着色した木製チップの種類を示す平面図。
【図３】杉の間伐材を粉砕してなる木チップを示す平面図。
【図４】図３の木チップをバインダーで被覆した状態を示す平面図。
【図５】木製チップの押し固め直前の状態を示す断面図。
【図６】木製チップの押し固め直後の状態を示す断面図。
【図７】木製チップの第１敷設例を示す斜視図。
【図８】木製チップの第２敷設例を示す斜視図。
【符号の説明】
【００３５】
Ａ…第１施工場所
Ｂ…第２施工場所
１…木製チップ
１ａ〜１ｅ…着色チップ
２…木チップ
３…バインダー
【図１】
2005297276.tif 000003
【図２】
2005297276.tif 000004
【図３】
2005297276.tif 000005
【図４】
2005297276.tif 000006
【図５】
2005297276.tif 000007
【図６】
2005297276.tif 000008
【図７】
2005297276.tif 000009
【図８】
2005297276.tif 000010